(57)【要約】【課題】迷光による画質劣化を防止する。【解決手段】キャビネット２と、キャビネット２の前面に配置され、レンズ面５３とライズ面５４とが複数組交互に形成されている光出射面５０Ｂと、光入射面５０Ａとを備え出射光を略平行光にして出射するフレネルレンズシート５０と、複数のレンズ面５３の少なくとも１つの特定レンズ面５３Ａにおいて、当該特定レンズ面５３Ａで光の一部が反射することによって生じる戻り光Ｌｒが隣接する特定ライズ面５４Ａに入射するように光入射面５０Ａに対し光の投射を行うキャビネット２内の光学部品群とを有し、特定ライズ面５４Ａが、当該戻り光Ｌｒを拡散して出射する面形状を備える。【選択図】図４
2007298835.tif 000002
【特許請求の範囲】
【請求項１】
筐体と、
前記筐体の前面に配置され、背面側からの入射光を前面側に出射するレンズ面と当該レンズ面にシート内位置に応じた傾斜を持たせるライズ面とが複数組交互に形成されている光出射面と、光入射面とを備え、前記光入射面に入射される光を前記光出射面から略平行光にして出射するフレネルレンズシートと、
光源からの光を変調して前記フレネルレンズシートの前記光入射面に投射するために前記筐体内に設けられ、前記複数のレンズ面の少なくとも１つの特定レンズ面において、当該特定レンズ面で光の一部が反射することによって生じる戻り光が隣接する特定ライズ面に入射するように前記光入射面に対し光の投射を行う光学部品群と、
を有し、
前記特定ライズ面が、当該戻り光を拡散して出射する面形状を備える
背面投射型表示装置。
【請求項２】
前記特定レンズ面の前記光入射面または前記光出射面を基準とする傾斜角度をα、当該特定レンズ面から前記戻り光が出射する向きの前記基準に対する反時計周りの角度をφとするときに、前記戻り光の角度φが０＜φ＜αを満たすように、前記光学部品群は前記光入射面に対し光の投射を行う
請求項１に記載の背面投射型表示装置。
【請求項３】
前記戻り光を拡散して出射する前記面形状は、複数の平面、凸状レンズ曲面、または、その組み合わせから構成されている
請求項１または２に記載の背面投射型表示装置。
【請求項４】
前記特定ライズ面から出射される前記戻り光が前記フレネルレンズに再入射し当該フレネルレンズ内の前記光入射面で反射して前記光出射面から再度出射される位置に設けられている他のライズ面の面形状が、複数の平面、凸状レンズ曲面、または、その組み合わせから構成されている
請求項１または２に記載の背面投射型表示装置。
【請求項５】
前記特定ライズ面を含む全てのライズ面の面形状が、複数の平面、凸状レンズ曲面、または、その組み合わせから構成されている
請求項１または２に記載の背面投射型表示装置。
【発明の詳細な説明】
【技術分野】
【０００１】
本発明は、筐体内部の光学部品群を通った光を筐体前面に設けられているフレネルレンズの背面から投射し、略平行光として前側に出射する背面投射型表示装置に関する。
【背景技術】
【０００２】
いわゆるリアプロジェクタと呼ばれる背面投射型表示装置は、筐体前面のスクリーンにフレネルレンズシートを備える。
フレネルレンズシートは、筐体内側の光入射面と、プロジェクタ前面側の光出射面に多数配列されているフレネルレンズとを備える。
【０００３】
フレネルレンズは、入射光をほぼ平行な光にして出射するためのレンズであるが、レンズ面の反射によってこれが迷光となって出射され、映像品質が低下する場合がある。
【０００４】
迷光対策としては、レンズ面と交互に形成されているライズ面を凸レンズ球面形状にする技術が知られている（たとえば特許文献１参照）
【特許文献１】特開平０４−２４１３４１号公報
【発明の開示】
【発明が解決しようとする課題】
【０００５】
この特許文献１に開示されている迷光対策は一定の効果を有するが、特に画面が大きくなる場合に、迷光をいかに抑制するかという新たな課題に対して対応できない。
【０００６】
本発明が解決しようとする課題は、上記新たな課題を克服して、より迷光抑制効果が高い背面投射型表示装置を提供することである。
【課題を解決するための手段】
【０００７】
本発明の背面投射型表示装置は、筐体と、前記筐体の前面に配置され、背面側からの入射光を前面側に出射するレンズ面と当該レンズ面にシート内位置に応じた傾斜を持たせるライズ面とが複数組交互に形成されている光出射面と、光入射面とを備え、前記光入射面に入射される光を前記光出射面から略平行光にして出射するフレネルレンズシートと、光源からの光を変調して前記フレネルレンズシートの前記光入射面に投射するために前記筐体内に設けられ、前記複数のレンズ面の少なくとも１つの特定レンズ面において、当該特定レンズ面で光の一部が反射することによって生じる戻り光が隣接する特定ライズ面に入射するように前記光入射面に対し光の投射を行う光学部品群とを有し、前記特定ライズ面が、当該戻り光を拡散して出射する面形状を備える。
本発明では好適に、前記特定レンズ面の前記光入射面または前記光出射面を基準とする傾斜角度をα、当該特定レンズ面から前記戻り光が出射する向きの前記基準に対する反時計周りの角度をφとするときに、前記戻り光の角度φが０＜φ＜αを満たすように、前記光学部品群は前記光入射面に対し光の投射を行う。
【発明の効果】
【０００８】
本発明によれば、戻り光の拡散機会が増え、それが迷光として出射されるときの光強度が低下し、光拡散の程度が大きくなるため、迷光による映像品質低下を防止することが可能となる。
【発明を実施するための最良の形態】
【０００９】
以下、本発明の実施形態を、図面を参照して説明する。
図１（Ａ）〜図１（Ｂ）は、背面投射型表示装置（リアプロジェクタ）をその画面と平行な向きに見た内部の概略的な構成図である。
【００１０】
図１（Ａ）に示すリアプロジェクタ１Ａは、投射装置３と反射ミラー４とを筐体（キャビネット）２内に備え、その前面にスクリーン５が配置されている。
【００１１】
図１（Ｂ）に示すリアプロジェクタ１Ｂは、スクリーン５への入射光Ｌ２の角度（入射角）θ２を小さくし筐体２を薄くするため、スクリーン５の下方のキャビネット２内に第２の反射ミラー６を設けている。
【００１２】
本発明は図１（Ａ）と図１（Ｂ）のどのタイプにも適用でき、さらに光路を３回以上反射ミラーにより折り曲げるタイプにも適用できる。スクリーン５の画面サイズ、投射装置３および反射ミラー４,６等の配置は任意である。ただし、上述したように一般に、薄型化、大画面化を行うとスクリーン５に対する入射角度θが大きくなる。
スクリーン５は、光の入射角度が異なった領域でも所定の視野角を持たせるために、入射光を一旦ほぼ平行な光に変換するフレネルレンズシートと、さらに所望の視野角特性に応じて画面の四方それぞれに必要な角度に発散させるレンチキュラーレンズシートとの２枚のレンズシートを含む。
【００１３】
図２（Ａ）に、スクリーン５の断面構成例を示す。
スクリーン５は、光源側（キャビネット２の内部側）にフレネルレンズシート５０を配置し、光の出射側（キャビネット２の外部側）にレンチキュラーレンズシート６０を配置して両者を張り合わせた構造を有する。レンチキュラーレンズシート６０のフレネルレンズシート５０側に、レンチキュラーレンズ層６１が形成されている。
【００１４】
フレネルレンズシート５０は、図２（Ｂ）に示すように、樹脂またはガラスからなるベース層５１と、樹脂を成型または切削加工したフレネルレンズ層５２とを貼り合わせたものである。なお、フレネルレンズシート５０を１枚のシートから形成してもよい。
ベース層５１のフレネルレンズ層５２が貼られた面と反対側から光が入射することから、この面を当該フレネルレンズシート５０の光入射面５０Ａと呼ぶ。
【００１５】
これに対し、光が出射されるフレネルレンズ層５２のレンチキュラーレンズシート側の面を光出射面５０Ｂと呼ぶ。光出射面５０Ｂには、図２（Ｂ）に示すように、光入射面５０Ａと平行な仮想基準面（一点破線で示す）からフレネル角α傾斜したレンズ面５３と、このレンズ面５３の頂点から次の隣接するレンズ面の基点を結ぶライズ面５４とを有している。
そして、このレンズ面５３とライズ面５４がフレネルレンズシート５０の外側から中心に向かって交互に多数配置されている。
フレネルレンズシート５０は、スネルの屈折原理に基づいて、光線の入射角が変化するシート位置ごとに、フレネル角も大きくする必要がある。通常、外側ほどフレネル角αが大きくなるようにレンズ面５３が形成されている。
【００１６】
図２（Ａ）の左半分と右半部ではレンズ面５３と、対応するライズ面５４との配置が左右逆になっている。
【００１７】
図３は、レンズ面５３の配置を光出射側から見た模式図である。
この図では主にレンズ面５３の傾斜面が視認でき、その間に薄い幅のライズ面５４が存在する。ただし、ここではライズ面５４を太い線で簡略化して描いている。
図示のようにレンズ面５３およびライズ面５４は、点５５を中心とした同心円状に配置される。なお、中心の点５５の周りは、入射光がほぼ垂直に入射されるとすると、そのまま出射するあるいは多少拡散させて出射するため、レンズ面５３とライズ面５４が形成されていない。
【００１８】
図３において、たとえば破線Ｂで示す四角領域が、実際にスクリーン５に形成される部分である。図２は、この破線Ｂで囲まれたスクリーン面をＡ−Ａ線の断面から見た図である。
一方、たとえば大型画面化あるいは薄型化のためにスクリーン画面中心と、フレネルレンズ配置の中心点５５とがオフセットを有する破線Ｃの領域を用いることもある。これは、スクリーン面位置に対応した領域Ｃの奥側下方から光が入射する場合に、その画面領域の全域からほぼ平行光を出射させるためである。このオフセットは、一般的に言うと、たとえば図１（Ｂ）や図１（Ｂ）のようにキャビネット２を薄くし、あるいは大画面化した場合に大きくする必要がある。
【００１９】
つぎに、本実施形態の特徴である入射光角度に応じたフレネルレンズシート５０の機能について説明する。
図４（Ａ）は本発明が適用されていない場合のフレネルレンズシート１００と入射光との関係を示す図である。また、図４（Ｂ）に、本発明が適用された実施形態の図２（Ａ）のフレネルレンズシート５０を示す。これらの図ではフレネルレンズシート１００,５０が一枚の樹脂から成型されている場合を示す。
【００２０】
本発明が適用されていない図４（Ａ）の場合、フレネルレンズシート１００の光入射面１０１に入射角γ０で入射した光（入射光Ｌin）は光入射面１０１で屈折し、フレネルレンズシート１００内に入る。このとき入射光Ｌinの数[％]は反射光Ｌrefとして光入射面１０１で正反射し、キャビネット２内側に戻る。
フレネルレンズシート１００内に入った入射光Ｌinが光出射面１０２のレンズ面１０３Ａに至ると、ここで屈折して、入射光Ｌinの９０[％]程度の光成分（主光線Ｌｍ）がレンズ面１０３Ａから平行光として前面にほぼ真っ直ぐ出射される。
一方、入射光Ｌinの残りの数[％]の光はレンズ面１０３Ａの背面で正反射して戻り光Ｌｒとなる。
戻り光Ｌｒは、レンズ面１０３Ａから真っ直ぐに光入射面１０１に至り、その内面で正反射して、角度を変えて光出射面１０２の別の箇所に設けられているライズ面１０４Ｂに達し、屈折して迷光Ｌｈとして外部に出射される。
【００２１】
先に示した特許文献１では、この迷光Ｌｈが出力されるライズ面１０４Ｂの面形状を凸レンズ形状として、ここに入射される戻り光Ｌｒを凸レンズ面で発散させて迷光Ｌｈとして出力することによって、迷光Ｌｈの画像への影響を低減する技術を開示している。
【００２２】
これに対し、本発明が適用されている図４（Ｂ）では、光がフレネルレンズシート内で最初に到達するレンズ面の側で、少なくとも、もう一回多く光を予め発散させ、最終的に出力される迷光Ｌｈの光束の範囲や発散角を、より大きくする作用がある。
【００２３】
より詳細には、フレネルレンズシート５０の光入射面５０Ａに入射角γで光（入射光Ｌin）が入射する。この入射角γは、図４（Ａ）の場合の入射角γ０より大きい。このため入射光Ｌinは、より斜めから光入射面５０Ａに入り、ここで屈折し、フレネルレンズシート５０内に入る。このとき入射光Ｌinの数[％]は反射光Ｌrefとして光入射面５０Ａで正反射し、キャビネット２内側に戻る。
フレネルレンズシート５０内に入った入射光Ｌinが光出射面５０Ｂのレンズ面５３Ａに至ると、ここで屈折して、入射光Ｌinの９０[％]程度の光成分（主光線Ｌｍ）がレンズ面５３Ａから平行光として前面にほぼ真っ直ぐ出射される。
一方、入射光Ｌinの残りの数[％]の光はレンズ面５３Ａの背面で正反射して戻り光Ｌｒとなる。
戻り光Ｌｒは、レンズ面５３Ａから直ぐ近くの隣接したライズ面５４Ａに達する。つまり、本実施形態では、戻り光Ｌｒが隣接したレンズ面５３Ａに入るように、入射角γに対するフレネル角αの範囲が決められている。この範囲の詳細については後述する。
【００２４】
隣接したライズ面５４Ａは、光を発散して出射できるように、その面形状が規定されている。したがって、戻り光Ｌｒは、ここで最初の発散が行われる。発散した戻り光Ｌｒは、一旦外部に出て、さらに隣のレンズ面５３Ｂから再入射する。戻り光Ｌｒはレンズ面５３Ｂで屈折して、そのまま光入射面５０Ａに向かう場合もあるが、ここではもう一度、隣のライズ面５４Ｂに入る。そのため戻り光Ｌｒは、さらに発散して外部に出て、さらに隣のレンズ面５３Ｃからフレネルレンズシート５０に再入射し、光入射面５０Ａに向かう。図４（Ｂ）では、この２度発散した戻り光Ｌｒの中心光線を符号Ｌｒ０、その両側に広がった光の限界光線を符号Ｌｒ１とＬｒ２により示している。戻り光の中心光線Ｌｒ０と限界光線Ｌｒ１,Ｌｒ２は、それぞれ光入射面５０Ａで反射し、角度を変えて光出射面５０Ｂの別の箇所に設けられているライズ面５４Ｄからレンズ面５３Ｇの範囲に達する。
【００２５】
中心光線Ｌｒ０は、その範囲の中間付近に設けられているライズ面５４Ｅで発散して迷光Ｌｈ０として外部に出射される。
一方、限界光線Ｌｒ１は、それより内側のライズ面５４Ｄに達し、ここで発散して迷光Ｌｈ１として外部に出射される。また、限界光線Ｌｒ２は、外側のライズ面５４Ｆに達し、そこで発散して外部に出るが、すぐ隣のレンズ面５３Ｇに至るため、そこで反射したり透過したりして向きがばらばらな光線の集まりである迷光Ｌｈ２となって外部に出射される。
【００２６】
このように本実施形態では、入射光Ｌinが最初に当たるレンズ面（本例ではレンズ面５３Ａ）の近隣で少なくとも１回の光の発散が生じるため、その光束の範囲がフレネルレンズシート５０を出るときは広がった、さらに様々な角度で出射側のライズ面（本例ではライズ面５４Ｄ,５４Ｅ,５４Ｆ）で拡散され、場合によっては、隣のレンズ面（本例では５３Ｇ）に入る光もあるため、範囲が広く単位面積当たりの光エネルギー密度が極小さい迷光となってフレネルレンズシート５０から出射される。よって、迷光の画像への影響がほぼ無視できる程度に低減される。
【００２７】
つぎに、図４（Ｂ）のような迷光を生じさせるための角度条件範囲を説明する。
図５は、この条件の説明図である。ここでフレネルレンズシート５０は、ベース層５１とフレネルレンズ層５２との材料が異なる２層構造であるとする。
【００２８】
ベース層５１（フレネルレンズシート５０の光入射面５０Ａ）に入射した入射光Ｌinは、ベース層５１内を進み（入射光Ｌin´）、そのフレネルレンズ層５２との境界面５１Ａで僅かに屈折して、フレネルレンズ層５２内では入射光Ｌinとなる。この境界面５１Ａに入る入射光Ｌin´の入射角をβ´、出射角をβとする。
その後、入射光Ｌinはレンズ面５３で反射して戻り光Ｌｒとしてライズ面５４に向かう。
【００２９】
この戻り光Ｌｒがライズ面５４に当たる角度条件では、図示のように、光入射面５０Ａまたは光出射面５０Ｂを基準とする仮想的な基準面Ｓを考え、これにＸ軸が平行なＸＹ座標を考える。このとき座標原点を入射光Ｌinが当たるレンズ面５３上の点にとり、Ｘ軸はライズ面５４に向かう方向に値を大きく、Ｙ軸はレンズ面５３から主光線が出射される前面側に値を大きくとる。
【００３０】
この座標系において戻り光Ｌｒがライズ面５４に入る条件は、レンズ面５３から戻り光Ｌｒが出射する向きの基準面Ｓ（Ｘ軸）に対する反時計周りの反射角をφとするとき、その反射角φが「０＜φ＜α」を満たすことである。
この条件は、レンズ面５３の基点Ｐに同様な角度で入射される場合を考えるとより理解しやすい。つまり、基点Ｐで反射した戻り光Ｌｒがライズ面５４に入るには、反射角φがフレネル角度αの範囲に入っていれば必ず戻り光Ｌｒはライズ面５４に至る。一方、レンズ面５３の頂点Ｔ付近では、反射角φの範囲は、さらにＸ軸の負側にまで広がる。
よって、反射角φが少なくとも「０＜φ＜α」を満たせば、どのようなレンズ面５３位置で反射が起ころうとも戻り光Ｌｒはライズ面５４に至る。
【００３１】
なお、上記図５の説明では、光入射面５０Ａまたは光出射面５０Ｂに平行な仮想面を基準面Ｓとしたが、フレネルレンズシート５０自体にそりが設けられている場合、フレネルレンズシート５０の光出射面５０Ｂが意図的に凸レンズまたは凹レンズ状に曲率を有する場合には、平面である光入射面５０Ａに平行な面を基準面Ｓとしてもよいし、レンズ面５３の基点に接する接線を含む平面を基準面Ｓとすることができる。何れにしても基準面Ｓと平行にＸ軸を規定する。
【００３２】
本実施形態では、以上の条件を満たすような入射角γの光線を入射光Ｌinが含んでいればよい。つまり、フレネルレンズシート５０の多数形成されているレンズ面５３の少なくとも１つが図５の条件を満足するように、入射光Ｌinが入射されることが本実施形態の特徴的作用である。
【００３３】
この作用を奏するために、図１に示す投射装置３、反射ミラー４（および第２の反射ミラー６）のキャビネット２内の配置、ミラー傾き、投射装置３の投射レンズ特性等が予め決められている。
なお、図１には図解していないが、投射装置３内には投射レンズ群、光変調手段（たとえば液晶パネルやＣＲＴ）および光源が配置されている。これらの構成とミラー構成等、スクリーン５に入射する光の入射角度を決めるキャビネット２内の構成全部の総称として、本発明では「光学部品群」という名称を用いている。
【００３４】
つぎに有効に光拡散を行うためのライズ面５４の面形状について説明する。
図６（Ａ）〜図６（Ｃ）に面形状の様々なバリエーションを示す。なお、図６（Ｄ）は、光拡散を起こさない単一平面の場合を参考に示す。
【００３５】
ライズ面５４は、図６（Ａ）に示すように単一の曲面Ｒから構成してもよいし、または、図６（Ｂ）に示すように、全体としては凸レンズ曲面をなすように配置される複数の平面（図では４つの平面Ｆ１,Ｆ２,Ｆ３,Ｆ４）からライズ面５４を構成してもよい。さらに、図６（Ｃ）のように、曲面と平面を組み合わせてもよい。図６（Ｃ）では、曲面Ｒ２を頂点側、平面Ｆ５とＦ６を基点側に配置している。何れの場合も全体として凸レンズ曲面をなす配置がなされ、全体としては凸レンズとして光拡散の作用を奏する。
その他、全体としては凸レンズとして作用するのであれば、ライズ面５４の面形状は図示のものに限定されない。
【００３６】
以上のように、本実施形態のリアプロジェクタでは、筐体（キャビネット２）と、キャビネット２の前面に配置され、背面側からの入射光を前面側に出射するレンズ面５３と当該レンズ面５３にシート内位置に応じた傾斜（フレネル角α）を持たせるライズ面５４とが複数組交互に形成されている光出射面５０Ｂと、光入射面５０Ａとを備え、光入射面５０Ａに入射される光を光出射面５０Ｂから略平行光にして出射するフレネルレンズシート５０と、光源からの光を変調してフレネルレンズシート５０の光入射面５０Ａに投射するためにキャビネット２内に設けられ、複数のレンズ面５３の少なくとも１つの特定レンズ面５３Ａにおいて、当該特定レンズ面５３Ａで光の一部が反射することによって生じる戻り光Ｌｒが隣接する特定ライズ面５４Ｂに入射するように光入射面５０Ａに対し光の投射を行う光学部品群（投射装置３、反射ミラー４（および６）等）と、を有する。そして、本実施形態では、特定ライズ面５４Ｂが、当該戻り光Ｌｒを拡散して出射する面形状（たとえば図６（Ａ）〜図６（Ｃ））を備える。
また本実施形態のリアプロジェクタは、好ましくは、特定レンズ面５３Ａの光入射面５０Ａまたは光出射面５０Ｂを基準とする傾斜角度（フレネル角）をα、当該特定レンズ面５３Ａから戻り光Ｌｒが出射する向きの基準に対する反時計周りの角度をφとするときに、戻り光Ｌｒの角度φが０＜φ＜αを満たすように、光学部品群は光入射面５０Ａに対し光の投射を行う。
【００３７】
つぎに、図６（Ａ）〜図６（Ｃ）のような面形状にする理由を、図７〜図１０を用いて説明する。
図２（Ａ）に示すように、観測者側にレンチキュラーレンズシート６０、光源側にフレネルレンズシート５０が配置されている。
透過型のスクリーン５では、レンチキュラーレンズシート６０とフレネルレンズシート５０との間に隙間ができることによる映像のボケを防止するために、フレネルレンズシート５０とレンチキュラーレンズシート６０に反りがつけられており、互いに密着した状態になっている。
【００３８】
ここでフレネルレンズシート５０は観測者側に、レンチキュラーレンズシート６０は光源側に、それぞれのレンズ層（フレネルレンズ層５２とレンチキュラーレンズ層６１）が配置され、２つのレンズ層が接触している。
つまり、図７に示すように、フレネルレンズの山頂とレンチキュラーレンズ６１Ａが接触するように配置される。そのため温度や湿度が変化した際にフレネルレンズシート５０とレンチキュラーレンズシート６０の収縮の違いによって、フレネルレンズ層５２とレンチキュラーレンズ層６１が擦れることによりフレネルレンズ先端が変形してしまう。
【００３９】
この変形した領域を光が通過すると、損失となりその領域の映像が暗くなってしまいムラとして観察される。この現象を刃つぶれという。
【００４０】
図６（Ａ）〜図６（Ｃ）のように、先端付近のライズ面５４を曲面として、できるだけ、擦れによって頂点が後退しにくい形状にする。
【００４１】
図８は、ライズ面５４を凸レンズ曲面にした場合を示す。
図示のように、ライズ面５４の形状を凸状になるような非球面にすることにより、図６（Ｅ）のフレネルレンズよりも先端角を大きくすることができる。そのことによりフレネルレンズの強度が増したため、変形量を抑えることができる。
【００４２】
このライズ面５４が非球面形状であるフレネルレンズシート５０の金型の作製方法としては、図９のように、非球面形状の面を持つバイト１１０を図示の矢印のように動かして形成する製法、図１０のような軌跡でバイト１１０を動かしライズ面５４の非球面形状を形成する製法がある。
【００４３】
図８において、フレネルレンズシート５０に入射した光線は、レンズ成形用樹脂層（フレネルレンズ層５２）に屈性角θ１で入射した後、フレネルレンズに入射する。レンズに入射した光線はレンズ面５３によって屈折され、最終的に出射角θ３でフレネルレンズシート５０から出射される。
【００４４】
本実施形態では、以下の効果を奏する。
フレネルレンズシート５０に入射した光が最初に当たるフレネルレンズのレンズ面５３からの反射光が隣のライズ面５４に入射するような条件、たとえば、反射角度φがフレネル角α範囲内に入るように、当該リアプロジェクタが光をスクリーン５に照射するための構成を備える。
よって、スクリーン５から出射される迷光の光密度が大幅に低減し、映像品質が向上する。本実施形態では、大画面化、薄型化になるほど効果が大きく、今後大画面で薄型のリアプロジェクタに益々有用である。
【００４５】
また、迷光対策として、フレネルレンズのライズ面に凸状レンズ曲面が形成され、また、フラット面を有することによって、フレネルレンズの刃つぶれを防止し、映像のボケ（コントラストの低下）を防止している。
【００４６】
以上より、迷光を大幅に抑制し、良好な映像のリアプロジェクタを実現することが可能となる。
【００４７】
なお、このフレネルレンズシートと光学部品群との関係は、プロジェクタ以外に、たとえばスポットライト等の照明機器にも適用できる。その場合も、迷光が低減して照明光の直進性が増し、より高性能な製品を本発明の適用によって実現可能となる。
【図面の簡単な説明】
【００４８】
【図１】（Ａ）〜（Ｂ）は、リアプロジェクタをその画面と平行な向きに見た内部の概略的な構成図である。
【図２】（Ａ）はスクリーン５の断面構成図、（Ｂ）は、その一部拡大図である。
【図３】レンズ面の配置を光出射側から見た模式図である。
【図４】（Ａ）は本発明が適用されていない場合のフレネルレンズシートと入射光との関係図である。（Ｂ）は、本発明適用後の同関係図である。
【図５】角度条件の説明図である。
【図６】（Ａ）〜（Ｃ）は本実施形態のライズ面の面形状例を示す図、（Ｄ）は参照例の図である。
【図７】レンズ同士の接触を示す図である。
【図８】フレネルレンズ形状と光路との関係を説明するための図である。
【図９】フレネルレンズの第１形成法を示す図である。
【図１０】フレネルレンズの第２形成法を示す図である。
【符号の説明】
【００４９】
１Ａ,１Ｂ…リアプロジェクタ、２…キャビネット、３…投射装置、４…反射ミラー、５…スクリーン、６…第２の反射ミラー、５０…フレネルレンズシート、５０Ａ…光入射面、５０Ｂ…光出射面、５１…ベース層、５２…フレネルレンズ層、５３…レンズ面、５４…ライズ面、６０…レンチキュラーレンズシート、６１…レンチキュラーレンズ層、６１Ａ…レンチキュラーレンズ、Ｌｒ…戻り光、α…フレネル角、γ…入射角、φ…戻り光の反射角、Ｌｈ…迷光
【図１】
2007298835.tif 000003
【図２】
2007298835.tif 000004
【図３】
2007298835.tif 000005
【図４】
2007298835.tif 000006
【図５】
2007298835.tif 000007
【図６】
2007298835.tif 000008
【図７】
2007298835.tif 000009
【図８】
2007298835.tif 000010
【図９】
2007298835.tif 000011
【図１０】
2007298835.tif 000012